【手続補正書】
【提出日】平成18年9月4日(2006.9.4)
【手続補正１】
【補正対象書類名】明細書
【補正対象項目名】発明の名称
【補正方法】変更
【補正の内容】
【発明の名称】画像生成方法、装置及びコンピュータ可読記憶媒体
【手続補正２】
【補正対象書類名】明細書
【補正対象項目名】特許請求の範囲
【補正方法】変更
【補正の内容】
【特許請求の範囲】
【請求項１】
複数のオブジェクトを合成式に基づいてレンダリングすることによって画像を作成する画像生成方法であって、
前記オブジェクトが画定された空間を複数の領域に分割する分割工程と、
前記領域をそれぞれ調査し、前記複数のオブジェクトのうちで前記領域に寄与するオブジェクトを求める調査工程と、
前記調査工程の結果に基づいて前記合成式を変更する変更工程と、
前記変更された合成式を使用して前記画像を合成する合成工程とを備えることを特徴とする画像生成方法。
【請求項２】
前記オブジェクトの外側および内側の各輪郭を近似して、輪郭領域を形成する工程をさらに含むことを特徴とする請求項１に記載の画像生成方法。
【請求項３】
前記輪郭領域を格子に近似させることを特徴とする請求項２に記載の画像生成方法。
【請求項４】
前記合成式が、前記領域内における前記オブジェクトのそれぞれの寄与に基づいて変更されることを特徴とする請求項１に記載の画像生成方法。
【請求項５】
前記領域がそれぞれ少なくとも前記オブジェクトの輪郭の１つまたはその部分から実質的に構成された輪郭領域によって画定されることを特徴とする請求項４に記載の画像生成方法。
【請求項６】
前記調査工程は、前記オブジェクトそれぞれに対応する領域内における不透明度が非ゼロであるか否かを判定する工程を含むことを特徴とする、請求項１に記載の画像生成方法。
【請求項７】
前記輪郭領域は、前記オブジェクトの対応する少なくとも１つの領域内の少なくとも１つの属性によって画定され、前記属性は、色、不透明度およびオブジェクト輪郭から成るグループから選択されることを特徴とする、請求項６に記載の画像生成方法。
【請求項８】
前記オブジェクトのデータが不透明であるか否かを指示するフラグが記憶され、前記合成式は寄与オブジェクトの前記フラグの値に基づいて最適化されることを特徴とする請求項１に記載の画像生成方法。
【請求項９】
前記領域内の完全に透明なオブジェクトは、前記合成式から排除されることを特徴とする、請求項８に記載の画像生成方法。
【請求項１０】
複数のオブジェクトを合成式に基づいてレンダリングすることによって画像を作成する画像生成装置であって、
前記オブジェクトが画定された空間を複数の領域に分割する分割手段と、
前記領域をそれぞれ調査し、前記複数のオブジェクトのうちで前記領域に寄与するオブジェクトを求める調査手段と、
前記調査工程の結果に基づいて前記合成式を変更する変更手段と、
前記変更された合成式を使用して前記画像を合成する合成手段とを備えることを特徴とする画像生成装置。
【請求項１１】
前記オブジェクトの外側および内側の各輪郭を近似して、輪郭領域を形成する手段をさらに含むことを特徴とする請求項１０に記載の画像生成装置。
【請求項１２】
前記輪郭領域を格子に近似させることを特徴とする請求項１１に記載の画像生成装置。
【請求項１３】
前記合成式が、前記領域内における前記オブジェクトのそれぞれの寄与に基づいて変更されることを特徴とする請求項１０に記載の画像生成装置。
【請求項１４】
前記領域がそれぞれ少なくとも前記オブジェクトの輪郭の１つまたはその部分から実質的に構成された輪郭領域によって画定されることを特徴とする請求項１３に記載の画像生成装置。
【請求項１５】
前記調査手段は、前記オブジェクトそれぞれに対応する領域内における不透明度が非ゼロであるか否かを判定する手段を含むことを特徴とする請求項１０に記載の画像生成装置。
【請求項１６】
前記輪郭領域は、前記オブジェクトの対応する少なくとも１つの領域内の少なくとも１つの属性によって画定され、前記属性は、色、不透明度およびオブジェクト輪郭から成るグループから選択されることを特徴とする請求項１５に記載の画像生成装置。
【請求項１７】
前記オブジェクトのデータが不透明であるか否かを指示するフラグが記憶され、前記合成式は寄与オブジェクトの前記フラグの値に基づいて最適化されることを特徴とする請求項１０に記載の画像生成装置。
【請求項１８】
前記領域内の完全に透明なオブジェクトは、前記合成式から排除されることを特徴とする、請求項１７に記載の画像生成装置。
【請求項１９】
請求項１乃至９のいずれか１項に記載の画像生成方法を、コンピュータに実行させるためのコンピュータプログラムを格納したことを特徴とするコンピュータ可読記憶媒体。
【手続補正３】
【補正対象書類名】明細書
【補正対象項目名】００１１
【補正方法】変更
【補正の内容】
【００１１】
【課題を解決するための手段】
本発明の位置態様によれば、複数のオブジェクトを合成式に基づいてレンダリングすることによって画像を作成する画像生成方法であって、前記オブジェクトが画定された空間を複数の領域に分割する分割工程と、前記領域をそれぞれ調査し、前記複数のオブジェクトのうちで前記領域に寄与するオブジェクトを求める調査工程と、前記調査工程の結果に基づいて前記合成式を変更する変更工程と、前記変更された合成式を使用して前記画像を合成する合成工程とを備える画像生成方法が提供される。
【手続補正４】
【補正対象書類名】明細書
【補正対象項目名】００１２
【補正方法】変更
【補正の内容】
【００１２】
本発明の他の態様によれば、複数のオブジェクトを合成式に基づいてレンダリングすることによって画像を作成する画像生成装置であって、
前記オブジェクトが画定された空間を複数の領域に分割する分割手段と、前記領域をそれぞれ調査し、前記複数のオブジェクトのうちで前記領域に寄与するオブジェクトを求める調査手段と、前記調査工程の結果に基づいて前記合成式を変更する変更手段と、前記変更された合成式を使用して前記画像を合成する合成手段とを備える画像生成装置が提供される。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】